【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
椅子組立体であって：
ベース構造体；
第１の回動点を中心に回転するように前記ベース構造体に回動可能に連結されている座部支持構造体であって、着座した使用者をその上で支持するように構成されている座部支持面を含む、座部支持構造体；
第２の回動点を中心に回転するように前記ベース構造体に回動可能に連結されている背もたれ支持構造体であって、直立位置とリクライニング位置との間で移動するようになっている上方に延びる部分を含む、背もたれ支持構造体；
背もたれシェル部材であって、概ね前方に面するとともに着座した使用者の背中を支持するように構成されている背中支持面を含み、第３の回動点を中心に回転するように前記背もたれ支持構造体の前記上方に延びる部分に回動可能に連結されている上側部分、及び下側部分を有し、メッシュカバーによって覆われる、背もたれシェル部材；並びに
第４の回動点を中心に回転するように前記背中支持面の前記下側部分に回動可能に連結されているとともに、第５の回動点を中心に回転するように前記座部支持構造体に回動可能に連結されている背もたれリンクであって、前記背中支持面は、前記背もたれ支持構造体が前記直立位置から前記リクライニング位置に移動すると前記背もたれ支持構造体の直立部分に対して前記背もたれリンクによって前方に移動する、背もたれリンク
を備える、椅子組立体。
【請求項２】
前記背もたれシェル部材は、その長さに沿って前後方向に可撓性である、請求項４９に記載の椅子組立体。
【請求項３】
前記カバーは、少なくとも３：１の長手方向伸展性対横方向伸展性の比を有する弾性材料を含む、請求項４９又は５０に記載の椅子組立体。
【請求項４】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項４９〜５２のいずれか一項に記載の椅子組立体。
【請求項５】
前記カバーは前記背もたれシェル部材にわたって伸張する、請求項５３〜５５のいずれか一項に記載の椅子組立体。
【請求項６】
前記背中支持面及び前記背もたれ支持構造体の少なくとも一部は、該背もたれ支持構造体の前記直立位置から前記リクライニング位置への移動中に変化する距離を間に画定する、請求項５３〜５６のいずれか一項に記載の椅子組立体。
【請求項７】
前記背もたれ支持構造体の前記上方に延びる部分は実質的に剛性であり、前記距離を画定する前記背中支持面の前記一部は、前記背もたれ支持構造体よりも大幅に低い剛性である、請求項５７に記載の椅子組立体。
【請求項８】
前記背もたれシェル部材は、或る曲率を画定する前方に湾曲する下側腰部部分を含み、前記曲率は、前記背もたれ支持構造体が前記直立位置から前記リクライニング位置に移動するにつれて増大する、請求項４９〜５８のいずれか一項に記載の椅子支持体。
【請求項９】
前記背もたれ支持構造体と前記背もたれ支持組立体との間の動作可能な接続部は、前記背もたれ支持構造体の前記上方に延びる部分への前記背もたれシェル部材の回動接続部を含む、請求項５９に記載の椅子支持体。
【請求項１０】
椅子組立体であって：
ベース構造体；
前記ベース構造体に動作可能に連結されている座部支持構造体であって、着座した使用者をその上で支持するように構成されている座部支持面を含む、座部支持構造体；
前記ベース構造体に動作可能に連結されている背もたれ支持構造体であって、直立位置とリクライニング位置との間で移動するようになっている、背もたれ支持構造体；
背もたれシェル部材であって、概ね前方に面するとともに着座した使用者の背中を支持するように構成されている背中支持面を含み、第１の背もたれ支持回動点を中心に回転するように前記背もたれ支持構造体に回動可能に連結されており、メッシュカバーによって覆われる、背もたれシェル部材；並びに
第２の背もたれ支持回動点を中心に回転するように前記背中支持面に回動可能に連結されているとともに、前記座部支持構造体に動作可能に連結されている背もたれリンクであって、前記第１の背もたれ支持回動点と前記第２の背もたれ支持回動点との間の距離は、前記背もたれ支持構造体が前記直立位置から前記リクライニング位置に移動するにつれて低減し、前記背もたれ支持構造体が前記リクライニング位置から前記直立位置に移動するにつれて増大する、背もたれリンク
を備える、椅子組立体。
【請求項１１】
前記背もたれシェル部材は、その長さに沿って前後方向に可撓性である、請求項６１に記載の椅子組立体。
【請求項１２】
前記カバーは、少なくとも３：１の長手方向伸展性対横方向伸展性を有する弾性材料を含む、請求項６１又は６２に記載の椅子組立体。
【請求項１３】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項６１〜６４のいずれか一項に記載の椅子組立体。
【請求項１４】
前記カバーは前記背もたれシェル部材にわたって伸張する、請求項６１〜６７のいずれか一項に記載の椅子組立体。
【請求項１５】
前記背もたれリンクは、座部支持回動点を中心に前記座部支持構造体に回動可能に連結されており、前記第２の背もたれ支持回動点は、前記背もたれ支持構造体が前記直立位置から前記リクライニング位置に移動するときに前記座部支持回動点に対して移動しない、請求項６１〜６８のいずれか一項に記載の椅子組立体。
【請求項１６】
前記背中支持面は、前記背もたれ支持構造体が前記直立位置から前記リクライニング位置に移動すると前記背もたれ支持構造体の少なくとも一部に対して前記背もたれリンクによって前方に移動する、請求項６１〜６９のいずれか一項に記載の椅子組立体。
【請求項１７】
前記椅子組立体は、前記座部支持構造体に動作可能に連結されている第１の端、及び、前記背もたれ支持構造体に動作可能に連結されている第２の端を有する制御リンクを更に備え、該制御リンクは、前記背もたれ支持構造体が前記直立位置から前記リクライニング位置に移動すると、前記背もたれ支持構造体のリクライニング速さよりも遅いリクライニング速さで前記座部支持構造体をリクライニングさせる、請求項６１〜７０のいずれか一項に記載の椅子組立体。
【請求項１８】
椅子組立体であって：
ベース構造体；
第１の回動点を中心に回転するように前記ベース構造体に回動可能に連結されている座部支持構造体であって、着座した使用者をその上で支持するように構成されている座部支持面を含む、座部支持構造体；
第２の回動点を中心に回転するように前記ベース構造体に回動可能に連結されている背もたれ支持構造体であって、直立位置とリクライニング位置との間で移動するようになっている、背もたれ支持構造体；
背もたれ支持組立体であって、概ね前方に面するとともに着座した使用者の背中を支持するように構成されている可撓性の背もたれシェル部材を含み、前記背もたれ支持構造体に動作可能に連結されており、前記背もたれシェル部材はメッシュカバーによって覆われる、背もたれ支持組立体；並びに
背中支持面の下側部分に動作可能に連結されているとともに前記座部支持構造体に動作可能に連結されている背もたれリンクであって、前記可撓性の背もたれ支持組立体は、前記背もたれ支持構造体が前記直立位置から前記リクライニング位置に移動するとその長さに沿って撓む、背もたれリンク
を備える、椅子組立体。
【請求項１９】
前記背もたれシェル部材は、その長さに沿って前後方向に可撓性である、請求項７２に記載の椅子組立体。
【請求項２０】
前記カバーは、少なくとも３：１の長手方向伸展性対横方向伸展性の比を有する弾性材料を含む、請求項７２又は７３に記載の椅子組立体。
【請求項２１】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項７２〜７５のいずれか一項に記載の椅子組立体。
【請求項２２】
前記カバーは前記背もたれシェル部材にわたって伸張する、請求項７２〜７８のいずれか一項に記載の椅子組立体。
【請求項２３】
前記背もたれ支持組立体は、前記背もたれ支持構造体が前記直立位置から前記リクライニング位置に移動すると、前記背もたれ支持構造体の少なくとも一部に対して前記背もたれリンクによって前方に移動する、請求項７２〜７９のいずれか一項に記載の椅子組立体。
【請求項２４】
前記背もたれシェル部材は、或る曲率を画定する前方に湾曲する下側腰部部分を含み、前記曲率は、前記背もたれ支持構造体が前記直立位置から前記リクライニング位置に移動するにつれて低減する、請求項７２〜８０のいずれか一項に記載の椅子支持体。
【請求項２５】
前記背もたれ支持構造体と前記背もたれ支持組立体との間の動作可能な接続部は、前記背もたれ支持構造体への前記背もたれシェル部材の回動接続部を含む、請求項８１に記載の椅子支持体。
【請求項２６】
前記座部支持構造体は前部及び後部を含み、前記背もたれ支持構造体は前部及び後部を含み、前記第１の回動点は、前記座部支持構造体の前記前部に位置し、前記第２の回動点は、前記背もたれ支持構造体の前記前部に位置する、請求項７２〜８２のいずれか一項に記載の椅子組立体。
【請求項２７】
前記背もたれ支持構造体は概ねＬ字形であり、前記背もたれ支持構造体は、上方に延びる部分から前方に延びる下側部分を含む、請求項７２〜８３のいずれか一項に記載の椅子組立体。
【請求項２８】
前記背もたれ支持構造体が前記直立位置から前記リクライニング位置に移動するときの前記座部支持構造体のリクライニング速さは、前記背もたれ支持構造体が前記直立位置から前記リクライニング位置に移動するときの前記背もたれ支持構造体のリクライニング速さよりも遅い、請求項７２〜８４のいずれか一項に記載の椅子組立体。